(57)【特許請求の範囲】
【請求項１】
交換機から電話回線を介して送られてきた呼出信号を検出する呼出信号検出手段と、
該呼出信号検出手段により前記呼出信号が検出されると、当該装置と前記電話回線とを接続して該電話回線に予め設定された応答メッセージを送出し、該応答メッセージの送出を終了すると、前記電話回線を介して入力される発呼側からの入来メッセージを記憶媒体に記憶し、その後、当該装置と前記電話回線との接続を解除する自動応答制御手段と、
前記呼出信号検出手段によって前記呼出信号が検出されている間に、使用者による接続指令がなされると、当該装置と発呼側装置との間を前記電話回線を介して通話可能に接続する手動応答制御手段と、
を備えた電話装置において、
前記電話回線を介して前記呼出信号と共に発呼側電話番号が送られてきたか否かを判定する判定手段と、
該判定手段によって前記発呼側電話番号が送られてこなかったと判定された場合には、前記自動応答制御手段を作動させ、前記判定手段によって前記発呼側電話番号が送られてきたと判定された場合には、前記自動応答制御手段を作動させずに前記手動応答制御手段を作動させる応答切換手段と、
を備え、
更に、前記判定手段によって前記発呼側電話番号が送られてきたと判定された場合に、その送られてきた発呼側電話番号と、事前に記憶されている発呼側電話番号とを比較して、両番号が一致していたならば、今回かかってきた電話を自動的に切るように構成されていること、
を特徴とする電話装置。
【請求項２】
交換機から電話回線を介して送られてきた呼出信号を検出する呼出信号検出手段と、
該呼出信号検出手段により前記呼出信号が検出されると、当該装置と前記電話回線とを接続して該電話回線に予め設定された応答メッセージを送出し、該応答メッセージの送出を終了すると、前記電話回線を介して入力される発呼側からの入来メッセージを記憶媒体に記憶し、その後、当該装置と前記電話回線との接続を解除する自動応答制御手段と、
前記呼出信号検出手段によって前記呼出信号が検出されている間に、使用者による接続指令がなされると、当該装置と発呼側装置との間を前記電話回線を介して通話可能に接続する手動応答制御手段と、
を備えた電話装置において、
前記電話回線を介して前記呼出信号と共に発呼側電話番号が送られてきたか否かを判定する判定手段と、
該判定手段によって前記発呼側電話番号が送られてこなかったと判定された場合には、前記自動応答制御手段を作動させ、前記判定手段によって前記発呼側電話番号が送られてきたと判定された場合には、前記自動応答制御手段を作動させずに前記手動応答制御手段を作動させる応答切換手段と、
を備え、
更に、前記判定手段によって前記発呼側電話番号が送られてきたと判定された場合に、その送られてきた発呼側電話番号と、事前に記憶されている発呼側電話番号とを比較して、両番号が一致していたならば、今回かかってきた電話を自動的に転送するように構成されていること、
を特徴とする電話装置。
【請求項３】
交換機から電話回線を介して送られてきた呼出信号を検出する呼出信号検出手段と、
該呼出信号検出手段により前記呼出信号が検出されると、当該装置と前記電話回線とを接続して該電話回線に予め設定された応答メッセージを送出し、該応答メッセージの送出を終了すると、前記電話回線を介して入力される発呼側からの入来メッセージを記憶媒体に記憶し、その後、当該装置と前記電話回線との接続を解除する自動応答制御手段と、
前記呼出信号検出手段によって前記呼出信号が検出されている間に、使用者による接続指令がなされると、当該装置と発呼側装置との間を前記電話回線を介して通話可能に接続する手動応答制御手段と、
を備えた電話装置において、
前記電話回線を介して前記呼出信号と共に発呼側電話番号が送られてきたか否かを判定する判定手段と、
該判定手段によって前記発呼側電話番号が送られてこなかったと判定された場合には、前記自動応答制御手段を作動させ、前記判定手段によって前記発呼側電話番号が送られてきたと判定された場合には、前記自動応答制御手段を作動させずに前記手動応答制御手段を作動させる応答切換手段と、
を備え、
更に、前記判定手段によって前記発呼側電話番号が送られてきたと判定された場合に、その送られてきた発呼側電話番号と、事前に記憶されている発呼側電話番号とを比較して、両番号が一致していたならば、今回かかってきた電話に対して自動的に所定の応答をするように構成されていること、
を特徴とする電話装置。
【請求項４】
請求項１ないし請求項３の何れか１項に記載の電話装置において、
前記判定手段により前記発呼側電話番号が送られてきたと判定されて、前記手動応答制御手段により当該装置と発呼側装置との間が通話可能に接続された際に、使用者により所定のキーが操作されると、その回の着信時に送られてきた発呼側電話番号が、前記比較に用いられる発呼側電話番号として記憶されること、
を特徴とする電話装置。
【請求項５】
請求項１ないし請求項４の何れか１項に記載の電話装置において、
当該装置の動作モードを、前記判定手段による判定結果に関わらず前記自動応答制御手段が作動するモードに設定するための自動応答設定手段を備えたことを特徴とする留守番電話装置。
【発明の詳細な説明】
【０００１】
【産業上の利用分野】
本発明は、留守番電話機能を有する電話装置に関するものである。
【０００２】
【従来の技術】
従来より、電話回線からの呼出信号に応答して自動的に電話回線を閉結し、予め用意された応答メッセージを送出した後、発呼側（相手側）からの入来メッセージを録音する、といった留守番電話機能付きの電話装置が実用化されている。
【０００３】
そして、このような留守番電話機能付きの電話装置によれば、録音された入来メッセージを後で再生することにより、留守中にかかってきた電話の相手を知ることができる。
一方、このような留守番電話機能付きの電話装置では、通常、相手からの入来メッセージを録音する際に、相手の音声をスピーカから出力するように構成されているため、在宅中であっても留守番電話モードにセットする、といった使用がなされることがある。
【０００４】
つまり、留守番電話モードにセットしておくことにより、相手の声を聞いてから受話器を取るか或いはそのまま放置しておくかを決めることができ、これによって、いたずら電話に応対してしまうことを避けるようにしている。
【０００５】
【発明が解決しようとする課題】
しかしながら、いたずら電話を避けるために留守番電話モードにセットしておくと、いたずら電話ではない相手に対しても、「ただいま出かけております」といった応答メッセージが送出されてしまい、その後、受話器を取ることになるため、相手が用件を言わないで電話を切ったり、一時的に居留守を使うことで相手に対して失礼になってしまうという問題があった。
【０００６】
本発明は、こうした問題に鑑みなされたものであり、有用な電話をかけてくる相手に対して不快感を与えることなく、且つ、いたずら電話に応対してしまうことを避けることのできる電話装置を提供することを目的としている。
【０００７】
【課題を解決するための手段】
上記目的を達成するためになされた請求項１〜３の電話装置は、交換機から電話回線を介して送られてきた呼出信号を検出する呼出信号検出手段と、該呼出信号検出手段により呼出信号が検出されると、当該装置と電話回線とを接続して該電話回線に予め設定された応答メッセージを送出し、該応答メッセージの送出を終了すると、電話回線を介して入力される発呼側からの入来メッセージを記憶媒体に記憶し、その後、当該装置と電話回線との接続を解除する自動応答制御手段と、呼出信号検出手段によって呼出信号が検出されている間に、使用者による接続指令がなされると、当該装置と発呼側装置との間を電話回線を介して通話可能に接続する手動応答制御手段と、を備えた電話装置であって、電話回線を介して呼出信号と共に発呼側電話番号が送られてきたか否かを判定する判定手段と、該判定手段によって発呼側電話番号が送られてこなかったと判定された場合には、自動応答制御手段を作動させ、前記判定手段によって発呼側電話番号が送られてきたと判定された場合には、自動応答制御手段を作動させずに手動応答制御手段を作動させる応答切換手段と、を備えている。
そして更に、請求項１の電話装置は、判定手段によって発呼側電話番号が送られてきたと判定された場合に、その送られてきた発呼側電話番号と、事前に記憶されている発呼側電話番号とを比較して、両番号が一致していたならば、今回かかってきた電話を自動的に切るように構成されている。
また、請求項２の電話装置は、判定手段によって発呼側電話番号が送られてきたと判定された場合に、その送られてきた発呼側電話番号と、事前に記憶されている発呼側電話番号とを比較して、両番号が一致していたならば、今回かかってきた電話を自動的に転送するように構成されている。
また、請求項３の電話装置は、判定手段によって発呼側電話番号が送られてきたと判定された場合に、その送られてきた発呼側電話番号と、事前に記憶されている発呼側電話番号とを比較して、両番号が一致していたならば、今回かかってきた電話に対して自動的に所定の応答をするように構成されている。
そして、請求項４の電話装置では、請求項１〜３の電話装置において、判定手段により発呼側電話番号が送られてきたと判定されて、手動応答制御手段により当該装置と発呼側装置との間が通話可能に接続された際に、使用者により所定のキーが操作されると、その回の着信時に送られてきた発呼側電話番号が、前記比較に用いられる発呼側電話番号として記憶されるようになっている。
【０００８】
また、請求項５の電話装置は、請求項１〜４の電話装置において、当該装置の動作モードを、前記判定手段による判定結果に関わらず前記自動応答制御手段が作動するモードに設定するための自動応答設定手段を備えている。
【０００９】
【作用】
上記のように構成された請求項１〜３の電話装置においては、呼出信号検出手段が、交換機から電話回線を介して送られてきた呼出信号を検出する。
そして、自動応答制御手段は、呼出信号検出手段によって呼出信号が検出されると、当該装置と電話回線とを接続して電話回線に予め設定された応答メッセージを送出し、その応答メッセージの送出を終了すると、電話回線を介して入力される発呼側からの入来メッセージを記憶媒体に記憶し、その後、当該装置と電話回線との接続を解除する。
【００１０】
また、手動応答制御手段は、呼出信号検出手段によって呼出信号が検出されている間に、使用者による接続指令がなされると、当該装置と発呼側装置との間を電話回線を介して通話可能に接続する。
ここで、当該電話装置では、判定手段が、電話回線を介して呼出信号と共に発呼側電話番号が送られてきたか否かを判定し、応答切換手段が、判定手段によって発呼側電話番号が送られてこなかったと判定された場合には、自動応答制御手段を作動させ、判定手段によって発呼側電話番号が送られてきたと判定された場合には、自動応答制御手段を作動させずに手動応答制御手段を作動させる。
【００１１】
つまり、請求項１〜３の電話装置では、呼出信号と共に発呼側電話番号が送られてきたときには、相手先がはっきりしている電話であることから、自動応答制御手段を作動させずに、使用者自らが接続指令を行って電話を受けるようにし、逆に、呼出信号と共に発呼側電話番号が送られてこなかった場合には、相手先がはっきりしておらず、いたずら電話の可能性があることから、自動応答制御手段を作動させて、通常の留守番電話の如く、応答メッセージを送出した後、入来メッセージを録音するようにしている。
そして更に、請求項１の電話装置では、判定手段によって発呼側電話番号が送られてきたと判定された場合に、その送られてきた発呼側電話番号と、事前に記憶されている発呼側電話番号とを比較して、両番号が一致していたならば、今回かかってきた電話を自動的に切るようになっている。
また、請求項２の電話装置では、判定手段によって発呼側電話番号が送られてきたと判定された場合に、その送られてきた発呼側電話番号と、事前に記憶されている発呼側電話番号とを比較して、両番号が一致していたならば、今回かかってきた電話を自動的に転送するようになっている。
また、請求項３の電話装置では、判定手段によって発呼側電話番号が送られてきたと判定された場合に、その送られてきた発呼側電話番号と、事前に記憶されている発呼側電話番号とを比較して、両番号が一致していたならば、今回かかってきた電話に対して自動的に所定の応答をするようになっている。
そして、請求項４の電話装置では、請求項１〜３の電話装置において、判定手段により発呼側電話番号が送られてきたと判定されて、手動応答制御手段により当該装置と発呼側装置との間が通話可能に接続された際に、使用者により所定のキーが操作されると、その回の着信時に送られてきた発呼側電話番号が、前記比較に用いられる発呼側電話番号として記憶される。
【００１２】
次に、請求項５の電話装置では、自動応答設定手段によって、当該装置の動作モードを、判定手段による判定結果に関わらず自動応答制御手段が作動するモードに設定することにより、発呼側電話番号が送られてきたか否かに関わらず自動応答制御手段を作動させて、通常の留守番電話としても使用することが可能になる。
【００１３】
【実施例】
以下に、本発明の実施例を図面に基づいて説明する。
図１は本発明が適用された実施例の留守番電話機能付き電話装置１の構成を表すブロック図である。
【００１４】
図１に示すように、電話装置１は電話回線３を介して交換機５に接続されており、交換機５には電話回線７を介して、或いは更に図示しない他の交換機及び電話回線を介して他の電話装置が接続されている。
ここで、当該電話装置１（ここでは便宜上「被呼側」と呼ぶ）には、他の電話装置（ここでは便宜上「発呼側」と呼ぶ）のダイヤル操作に応じて、交換機５を介して断続的な呼出信号が入来する。そして、本実施例では、被呼側が予め交換機５に発呼側電話番号受信サービスの加入者であることを登録してあるならば、最初の呼出信号と次の呼出信号の間の無音区間において、交換機５を介して発呼側の電話番号（以下、発呼側電話番号という）が当該被呼側に送られる交換システムになっており、アメリカではアナログの交換システムにおいて既に実用化されている。本発明は、このような交換システムを前提としたものである。
【００１５】
そして、電話装置１は、電話回線３に接続されて上記呼出信号，発呼側電話番号，及び発呼側が電話を切った際に交換機５から送られてくる繰り返し信号（ビジトーン）等を受信すると共に、発信時のダイヤル操作に応じた選択信号（ダイヤル信号）を送信し、更に通話時におけるアナログ音声信号の送受信等を行う、回線制御用のネットワーク・コントロールユニット（以下、ＮＣＵという）９と、後述する各制御処理を実行するＣＰＵ１１と、ＣＰＵ１１が実行する制御処理用のプログラムが格納されたＲＯＭ１３と、ＣＰＵ１１の演算結果等を一時格納するＲＡＭ１５とを備えている。
【００１６】
更に、電話装置１は、ＮＣＵ９によって受信されたアナログ音声信号をデジタル音声信号に変換すると共に、当該装置内部で生成されたデジタル音声信号をアナログ音声信号に変換してＮＣＵ９に出力する音声ＬＳＩ１７と、発呼側へ送出する応答メッセージ（以下、ＯＧＭ：Outgoing Messageという）、及び発呼側から送られてきた入来メッセージ（以下、ＩＣＭ：Incoming Messageという）を記憶するための、記憶媒体としてのダイナミックＲＡＭ（ＤＲＡＭ）２１と、ワンタッチダイヤルや短縮ダイヤルといった自動ダイヤルが可能な電話番号を記憶するためのＤＲＡＭ２３と、ダイヤル操作用の複数の数字キーからなるダイヤルキー，当該装置の動作モードを在宅モードと留守番電話モードとの何れかに切り換えるための、自動応答設定手段としてのモード切換キー，及びＤＲＡＭ２１に記憶されたＩＣＭの再生指令を行うための再生キー等が配設された操作部２５と、電話番号や各種メッセージ等を表示するための表示部２７と、呼出音や再生したＩＣＭ等をスピーカ２９を介して出力させるためのアンプ３１と、上記各部を接続するデータバス３３と、受話器３５と、受話器３５が当該装置の筐体から外されたときにオフするフックスイッチ３７とを備えている。
【００１７】
まず、このように構成された電話装置１での通常時における発信動作について概略説明する。
ＣＰＵ１１は、受話器３５が外されてフックスイッチ３７がオフしたこと（以下、この状態をオフフックともいう）を検出すると、その後、操作部２５（ダイヤルキー）の使用者によるダイヤル操作に応じた選択信号（ダイヤル信号）をＮＣＵ９に出力する。すると、その選択信号はＮＣＵ９から電話回線３を介して交換機５に送出され、相手側の呼出が行われる。そして、ＣＰＵ１１は、相手が電話を取ったことをＮＣＵ９を介して検出すると、ＮＣＵ９に電話回線３を閉結させて、受話器３５での通話を可能にする。
【００１８】
次に、このような電話装置１において、当該装置の動作モードが上記モード切換キーによって在宅モードにセットされている場合に、ＣＰＵ１１が着信時に実行する処理について、図２及び図３に示すフローチャートに基づいて説明する。
図２は、在宅モード時の全体処理を表すフローチャートである。この処理の実行が開始されると、まず、ステップ（以下、単にＳと記す）１１０にて、呼出信号が入来したか（着信があったか）否かを判定する、呼出信号検出手段としての処理を実行し、着信があったと判定するまで待機する。
【００１９】
そして、Ｓ１１０にて、着信があったと判定した場合には（Ｓ１１０でＹＥＳ）、Ｓ１２０に進んで、呼出信号と共に発呼側電話番号が送られてきたか否かを判定する、判定手段及び応答切換手段としての処理を実行し、発呼側電話番号が送られてきたと判定した場合には（Ｓ１２０でＹＥＳ）、Ｓ１３０にて、送られてきた発呼側電話番号を受信してＲＡＭ１５に一旦格納すると共に、その発呼側電話番号を表示部２７に表示する。そして、続くＳ１４０にて、現在受信中の呼出信号に連動してスピーカ２９から呼出音を出力し、続くＳ１５０にて、使用者が受話器３５を外してオフフックされたか否かを判定し、オフフックされていないと判定すると（Ｓ１５０でＮＯ）、Ｓ１４０に戻ってＳ１４０，Ｓ１５０の処理を繰り返す。
【００２０】
また、Ｓ１５０にて、オフフックされたと判定すると（Ｓ１５０でＹＥＳ）、Ｓ１６０に進んで、ＮＣＵ９に電話回線３を閉結させる、手動応答制御手段としての処理を実行する。即ち、呼出信号に応じて呼出音が鳴っている間に、使用者が受話器３５を外して接続指令を行った場合には、電話回線３を閉結させて受話器３５による通話ができるようにする。
【００２１】
次いで、Ｓ１７０にて、使用者が受話器３５を下ろしてフックスイッチ３７がオンされた（以下、この状態をオンフックともいう）か否かを判定し、オンフックされたと判定するまで待機する。そして、オンフックされたと判定すると（Ｓ１７０でＹＥＳ）、使用者の通話が終了したと判断して、続くＳ１８０にて電話回線３を開放させ、その後、前記Ｓ１１０に移行して着信待ちの状態に戻る。
【００２２】
一方、Ｓ１２０にて、呼出信号と共に発呼側電話番号が送られてこなかったと判定した場合には（Ｓ１２０でＮＯ）、Ｓ１９０に移行して、発呼側へ自動応答するための自動応答制御手段としての自動応答処理を実行した後、前記Ｓ１１０に戻る。
【００２３】
ここで、この自動応答処理（Ｓ１９０）は図３に示す如く実行される。即ち、自動応答処理の実行が開始されると、まず、Ｓ２１０にて電話回線３を閉結し、続くＳ２２０にて、ＤＲＡＭ２１に予め記憶されているＯＧＭを、音声ＬＳＩ１７及びＮＣＵ９を介して電話回線３に送出する。尚、このＯＧＭは、「ただいま出かけております、ピーと鳴ったら貴方のお名前とメッセージをお入れ下さい。」といった内容のものである。
【００２４】
そして、続くＳ２３０にて、ＯＧＭの送出が終了したか否かを判定し、ＯＧＭの送出が終了していないと判定した場合には（Ｓ２３０でＮＯ）、続くＳ２４０にて、オフフックされたか否かを判定し、オフフックされていないと判定すると（Ｓ２４０でＮＯ）、前記Ｓ２３０に戻ってＳ２３０，Ｓ２４０の処理を繰り返す。また、Ｓ２４０にて、オフフックされたと判定すると（Ｓ２４０でＹＥＳ）、Ｓ２５０に進んで、ＯＧＭの送出を中止すると共に受話器３５による通話を可能とし、続くＳ２６０にて、オンフックされたと判定するまで待機する。そして、Ｓ２６０でオンフックされたと判定すると（Ｓ２６０でＹＥＳ）、Ｓ２７０に進んで電話回線３を開放させ、その後、当該自動応答処理を終了する。即ち、ＯＧＭの送出中に使用者が受話器３５を外した場合には、受話器３５による通話ができるようにしている。
【００２５】
一方、Ｓ２３０にて、ＯＧＭの送出が終了したと判定した場合（Ｓ２３０でＹＥＳ）、即ちＯＧＭの送出中に使用者が受話器３５を外さなかった場合には、Ｓ２８０に移行して、電話回線３から入来するＩＣＭの録音を開始すると共に、発呼側の音声（ＩＣＭ）をスピーカ２９から出力させる。尚、この録音処理は、発呼側からのアナログ音声信号をＮＣＵ９及び音声ＬＳＩ１７を介してデジタル音声信号として取り込み、その音声信号に応じたデータ（録音データ）をＤＲＡＭ２１に格納する、といった手順で実行される。
【００２６】
そして、続くＳ２９０にて、予め設定された録音時間が経過したか否かを判定し、その録音時間が経過していないと判定した場合には（Ｓ２９０でＮＯ）、続くＳ３００にて、オフフックされたか否かを判定する。そして、オフフックされていないと判定すると（Ｓ３００でＮＯ）、前記Ｓ２９０に戻って、Ｓ２９０，Ｓ３００の処理を繰り返す。また、Ｓ３００にて、オフフックされたと判定した場合には（Ｓ３００でＹＥＳ）、Ｓ３１０に進んで、ＩＣＭの録音を中止すると共に受話器３５による通話を可能とし、その後Ｓ２６０に移行して、オンフックされたと判定するまで待機する。そして、Ｓ２６０でオンフックされたと判定すると（Ｓ２６０でＹＥＳ）、Ｓ２７０に進んで電話回線３を開放させ、その後、当該自動応答処理を終了する。即ち、ＩＣＭの録音中に使用者が受話器３５を外した場合にも、録音を中止して受話器３５による通話ができるようにしている。
【００２７】
一方、Ｓ２９０にて、録音時間が経過したと判定した場合には（Ｓ２９０でＹＥＳ）、Ｓ３２０に移行して、電話回線３を開放させた後、当該自動応答処理を終了する。
そして、この自動応答処理の実行が終了すると、図２におけるＳ１１０に戻って、次の着信を待つ状態となる。
【００２８】
尚、自動応答処理の実行によって録音されたＩＣＭは、操作部２５の再生キーを押すことにより、順次音声として再生されてスピーカ２９から出力される。
また、特に図示はしないが、当該電話装置１の動作モードが在宅モードではなく、留守番電話モードにセットされた場合に実行される処理は、図２に示した在宅モードのフローチャートに対して、下記の２点が異なる。
【００２９】
（１）Ｓ１２０にて発呼側電話番号が送られてこなかったと判定した場合に、Ｓ１９０の自動応答処理を実行せずに、Ｓ１４０へ移行する点。
（２）Ｓ１４０の処理とＳ１５０の処理との間で、呼出音を所定回数（例えば５回）だけ鳴らしたか否かを判定し、呼出音を所定回数だけ鳴らしたと判定した場合に、図３に示した自動応答処理を実行して、その後Ｓ１１０に戻る点。
【００３０】
即ち、留守番電話モード時には、発呼側から発呼側電話番号が送られてきたか否かに関わらず、呼出音を所定回数だけ鳴らすまでに使用者が受話器３５を取らなかった場合に、自動応答処理を実行して、発呼側へ現在留守中である旨のＯＧＭを送出した後、発呼側からのＩＣＭを録音する。
【００３１】
以上説明したように、本実施例の電話装置１においては、当該装置の動作モードが在宅モードにセットされているときに、呼出信号と共に発呼側電話番号が送られてきたか否かを判断し（Ｓ１２０）、発呼側電話番号が送られてきた場合には（Ｓ１２０：ＹＥＳ）、自動応答処理を実行せずに、使用者自らが受話器３５を取って電話を受けるようにし（Ｓ１４０〜Ｓ１８０）、逆に、発呼側電話番号が送られてこなかった場合には（Ｓ１２０：ＮＯ）、自動応答処理を実行して（Ｓ１９０）、留守番電話モード時の如く発呼側へＯＧＭを送出した後、発呼側からのＩＣＭを録音するようにしている（Ｓ２１０〜Ｓ３２０）。
【００３２】
つまり、発呼側電話番号を送ってこない相手からの電話は、いたずら電話の可能性が高いと思われるため、本実施例の電話装置１においては、普通ならば留守番電話動作を行わない在宅モードであっても、呼出信号と共に発呼側電話番号が送られてこなかった場合には、留守番電話動作を行うようにしている。
【００３３】
従って、本実施例の電話装置１によれば、発呼側電話番号を送ってきた相手、即ちいたずら電話ではないと思われる相手に対しては、通常の応対をすることができ、逆に、発呼側電話番号を送ってこなかった相手、即ちいたずら電話の可能性の高い相手に対しては、使用者自らが応対することなく留守番電話としての自動応対を行うことができる。
【００３４】
この結果、従来装置のように、在宅中であっても留守番電話モードに設定しておき、相手の声を聞いてから受話器を取る、といったことをする必要なく、いたずら電話に自ら応対してしまうことを避けることができ、しかも、有用な電話をかけてきた相手に対して、現在留守中である旨のＯＧＭを流してから受話器３５を取る、といった失礼な応対をしてしまうこともない。
【００３５】
一方、本実施例の電話装置１では、操作部２５のモード切換キーによって当該装置の動作モードを留守番電話モードにセットすることにより、発呼側電話番号の有無に関わらず自動応答処理が実行されるように設定することができる。つまり、通常の留守番電話としても使用することができる。
【００３６】
尚、上記実施例の電話装置１は、当該装置の動作モードを在宅モードと留守番電話モードとの２つのモードに切換可能なものであったが、留守番電話モードへの切換機能は必要な場合に設ければよい。また逆に、発呼側電話番号が送られてこなかった場合にも自動応答処理を実行しない動作モード、即ち従来の一般的な在宅モードを切換可能に追加して設けるようにしてもよい。
【００３７】
また、上記本実施例では、Ｓ１３０にて、送られてきた発呼側電話番号をＲＡＭ１５に記憶するようにしているため、いたずら電話を撃退するのに有効な構成を採ることができる。
例えば、図２におけるＳ１５０とＳ１６０の間で、所定のキー（いたずら電話撃退キー）が操作されたか否かを判定し、いたずら電話撃退キーが操作されたと判定すると、その回の着信時に送られてきてＲＡＭ１５に記憶された発呼側電話番号をＤＲＡＭに格納するようにし、更に、Ｓ１２０とＳ１３０の間で、着信時に送られてきた発呼側電話番号とＤＲＡＭに格納した発呼側電話番号とを比較して、両者が一致した場合には、呼出音を鳴動させることなく電話回線３を閉結し、その後、直ちに電話回線３を開放するようにしておく。
【００３８】
そして、このように構成すれば、使用者は、受話器３５を取って応対した際に（Ｓ１５０，Ｓ１６０）、その電話がいたずら電話であったならば、いたずら電話撃退キーを操作すればよい。すると、いたずら電話をかけてきた相手の発呼側電話番号がＤＲＡＭに格納され、その後、同じ相手から再び電話がかかってきたときには、その電話を自動的に切ってしまうことができる。よって、いたずら電話を一度でもかけてきた相手に対して、使用者が応対してしまうこと事前に防止できる。
【００３９】
また更に、着信時に送られてきた発呼側電話番号と、ＤＲＡＭに格納した発呼側電話番号（即ち、過去にいたずら電話をかけてきた相手の電話番号）とが一致した場合に、その電話を自動的に警察等へ転送したり、かけてきた相手がいやがるような応答を自動的にするようにしてもよい。
【００４０】
【発明の効果】
本発明の電話装置によれば、発呼側電話番号を送ってきた相手、即ちいたずら電話ではない可能性の高い相手に対しては、通常の応対をすることができ、逆に、発呼側電話番号を送ってこなかった相手、即ちいたずら電話の可能性の高い相手に対しては、留守番電話の如き自動応対を行うことができる。この結果、有用な電話をかけてきた相手に対しては不快感を与えることなく、且つ、いたずら電話に対しては自ら応対してしまうことを避けることができる。
【００４１】
また、請求項５の電話装置によれば、自動応答設定手段によって、当該装置の動作モードを、判定手段による判定結果に関わらず自動応答制御手段が作動するモードに設定することにより、通常の留守番電話としても使用することが可能になる。
【図面の簡単な説明】
【図１】実施例の電話装置の構成を表すブロック図である。
【図２】実施例の電話装置において、動作モードが在宅モードにセットされた場合に実行される処理を表すフローチャートである。
【図３】実施例の電話装置で実行される自動応答処理を表すフローチャートである。
【符号の説明】
１…電話装置    ３，７…電話回線    ５…交換機
９…ＮＣＵ（ネットワーク・コントロールユニット）    １１…ＣＰＵ
１３…ＲＯＭ    １５…ＲＡＭ    １７…音声ＬＳＩ
２１，２３…ＤＲＡＭ    ２５…操作部    ２７…表示部    ２９…スピーカ
３５…受話器    ３７…フックスイッチ
【図１】
0003613822.tif 000002
【図２】
0003613822.tif 000003
【図３】
0003613822.tif 000004